(57)【特許請求の範囲】
【請求項１】
記録媒体に画像を記録する画像記録部と、
前記画像記録部の上方に配置され記録媒体を重力方向とほぼ平行に配置する収納部と、
支持台上に支持された被読取対象物の画像を読取手段によって読み取る画像読取部とを備えた画像形成装置において、
前記画像読取部の一端を回動可能に支持する支持部材と、
前記画像読取部の他端と装置本体を連結する一対のリンクと、
前記支持部材に設けられたガイド突部と、
装置本体壁面に前記収納部に沿って上下に延び、前記ガイド突部がスライド自在に嵌合するガイド溝とを有し、
前記画像読取部が、重力方向と略平行に位置する第１の位置と、重力方向と略垂直の第２の位置とに位置することが可能で、前記画像読取部を前記第１の位置と第２の位置との間で移動可能とし、前記支持部材、前記ガイド突起および前記ガイド溝を有してなる移動手段を備え、
前記支持部材が前記ガイド溝の上端にあるときに、前記画像読取部は前記画像記録部の上方で前記収納部と平行で、前記一端を上側、前記他端を下側とした前記第１の位置となり、
前記支持部材が前記ガイド溝の下端にあるときに、前記画像読取部は前記一端が前記画像記録部の上方で、前記他端が前記画像記録部から側方に離れた位置において前記リンクによって支持された前記第２の位置となり、
前記画像読取部が前記第２の位置にあるとき、前記支持台が重力方向に対して垂直であり、
前記画像読取部は、前記支持部材を前記ガイド溝に沿って下方に移動させることによって前記第２の位置に移動可能に構成されている
ことを特徴とする画像形成装置。
【請求項２】
支持台上の被読取対象物を押さえる押さえ部材を有し、該押さえ部材に装置を操作する操作部を設けたことを特徴とする請求項１記載の画像形成装置。
【請求項３】
外部機器と接続して画像データの受け渡しを行う接続部を備えていることを特徴とする請求項１記載の画像形成装置。
【請求項４】
前記画像記録部は複数の記録媒体より順次一枚ずつ分離を行う分離手段を有する給紙系を有することを特徴とする請求項１乃至３のいずれか１項記載の画像形成装置。
【請求項５】
装置本体に壁掛け手段を設けたことを特徴とする請求項１乃至４のいずれか１項記載の画像形成装置。
【請求項６】
前記画像記録部は、記録手段が信号に応じてインクを吐出して記録を行うインクジェット記録方式であることを特徴とする請求項１乃至５のいずれか１項記載の画像形成装置。
【発明の詳細な説明】
【０００１】
【発明の属する技術分野】
本発明は、ファクシミリ装置，複写装置等の画像形成装置に関し、特にフラットベッドタイプの画像読取部を備えた画像形成装置に関する。
【０００２】
【従来の技術】
従来，フラットベッドタイプの画像読取部を備えた画像形成装置としては、たとえば、図１１に示すように、装置本体１２５の上面に画像読取部としてのフラットベッドスキャナ１２６が平置きされた構成になっており、そのフラットベッドスキャナに設けられた原稿台ガラス１２７上に原稿Ｇを載置して複写を行っていた。
【０００３】
【発明が解決しようとする課題】
しかしながら，上記のようにフラットベッドスキャナ１２６が平置きにされた構成になっていると、装置本体を壁掛けなどにした場合には、フラットベッドスキャナ１２６の空間設置面積が大きくなり邪魔になるという問題点があった。
【０００４】
本発明の目的は、装置の設置面積を可及的に小さくし得る画像形成装置を提供することにある。
【０００５】
上記目的に加えて、ブック状原稿などでも容易に読取ることができる画像形成装置を提供する。
【０００６】
【課題を解決するための手段】
上記目的を達成するために、本発明にあっては、
記録媒体に画像を記録する画像記録部と、
前記画像記録部の上方に配置され記録媒体を重力方向とほぼ平行に配置する収納部と、
支持台上に支持された被読取対象物の画像を読取手段によって読み取る画像読取部とを備えた画像形成装置において、
前記画像読取部の一端を回動可能に支持する支持部材と、
前記画像読取部の他端と装置本体を連結する一対のリンクと、
前記支持部材に設けられたガイド突部と、
装置本体壁面に前記収納部に沿って上下に延び、前記ガイド突部がスライド自在に嵌合するガイド溝とを有し、
前記画像読取部が、重力方向と略平行に位置する第１の位置と、重力方向と略垂直の第２の位置とに位置することが可能で、前記画像読取部を前記第１の位置と第２の位置との間で移動可能とし、前記支持部材、前記ガイド突起および前記ガイド溝を有してなる移動手段を備え、
前記支持部材が前記ガイド溝の上端にあるときに、前記画像読取部は前記画像記録部の上方で前記収納部と平行で、前記一端を上側、前記他端を下側とした前記第１の位置となり、
前記支持部材が前記ガイド溝の下端にあるときに、前記画像読取部は前記一端が前記画像記録部の上方で、前記他端が前記画像記録部から側方に離れた位置において前記リンクによって支持された前記第２の位置となり、
前記画像読取部が前記第２の位置にあるとき、前記支持台が重力方向に対して垂直であり、
前記画像読取部は、前記支持部材を前記ガイド溝に沿って下方に移動させることによって前記第２の位置に移動可能に構成されている
ことを特徴とする。
【０００９】
また、支持台上の被読取対象物を押さえる押さえ部材を有し、該押さえ部材に装置を操作する操作部を設けることが好ましい。
【００１０】
また、ホストコンピュータ等の外部機器と接続して画像データの受け渡しを行うための接続部を備えることが好ましい。
【００１５】
画像記録部は複数の記録媒体より順次一枚ずつ分離を行う分離手段を有する給紙系を有することが好ましい。
【００１６】
さらに、装置本体に壁掛け手段を設けることがスペース効率上効果的である。
【００１７】
また、画像記録部は、たとえば、記録手段が信号に応じてインクを吐出して記録を行うインクジェット記録方式が好適である。
【００１８】
【発明の実施の形態】
以下、図を参照して本発明に係る画像形成装置を詳細に説明する。
【００１９】
実施の形態１
図１は本発明の実施の形態１に係る画像形成装置を示す断面図、図２は画像形成装置の外観斜視図である。
【００２０】
装置本体１には、壁掛け手段として不図示の切欠き穴が設けられ、壁Ｚに設けられた不図示の留め金フックに引っ掛けて、壁Ｚに貼り付けられたように装置本体１に取り付けられている。
【００２１】
次に、本発明の最も特徴となる装置機構部の配置レイアウトにて説明する。
【００２２】
すなわち、この画像形成装置は、記録媒体としての記録シート２に画像を記録する画像記録部Ｂと、支持台としての原稿台ガラス１６上に支持された被読取対象物としての原稿に記載される情報を読み取る画像読取部Ｃと、を備えており、画像読取部Ｃが、重力方向と略平行に位置する第１の位置と、重力方向と略垂直の第２の位置に位置することが可能で、画像読取部Ｃを第１および第２の位置Ａ１，Ａ２間を移動可能とする移動手段としての移動機構Ｄを備えており、画像読取部Ｃが画像記録部Ｂの上部に位置する。
【００２３】
また、画像記録部Ｂに給紙する記録媒体としての記録シート２を重力方向とほぼ並行に配置する収納部Ｅを有し、収納部Ｅが画像読取部Ｃと平行かつ画像記録部Ｂの上部に配置されている。
【００２４】
記録シート２は、壁Ｚにもたれかかるような角度（図示例では、約８０°）にて、装置本体１に配置されている。こうすることで装置の占有面積を多く占める記録シート２をコンパクトに収納することができ、装置として小さくできる。
【００２５】
画像記録部Ｂは記録シート２の下部に位置している。こうすることで記録シート２は自重に逆らうことなく、自然の理に適応した構成にて、容易な搬送経路を設けることが出来、記録シート２をスムースに搬送することができる。
【００２６】
最初に画像記録部Ｂの給紙系Ｂ１について説明する。
【００２７】
記録シート２としては、普通紙やプラスチックシート等及びその他の材質であって、インクを転写し得るものを用いることが可能である。本実施の形態では、Ｂ４サイズ又はＡ４サイズにカットされた普通紙を記録シート２として用いる。収納部Ｅに収納された記録シート２は、記録紙カバー３の背面に設けてある図示しない記録シート高さ規制板により、給紙フレーム４に限られた枚数が収納積載される。この時、壁Ｚとほぼ平行な角度にて積載している。また図示しない記録シートサイドガイドが記録シート２の幅方向の規制をしている。
【００２８】
また、記録シート２の底部（背面側）に構成している圧板５は、図示しない回転軸を中心に回動可能に支持され、図示しない駆動系により１周期制御され、圧板ばね５ａにより記録シート２を分離ローラ６へと接触させる。また、図示しない駆動系により分離ローラ６が図示する矢印方向に１回転制御されており、ゴム部６ａに記録シート２が接触すると前述圧板５の付勢力を得て、記録シート２は分離パッド７ａと分離ゴム部６ａとが当接している分離機構部へと到達する。一般的にデュプロ分離と称される機構である。
【００２９】
分離機構部により捌かれた１枚の記録シート２は、給送ローラ８ａが図示する矢印方向に回転し、対向する給送コロ８ｂの付勢力を得て、通紙ガイド９ａ，９ｂの間を通過し、記録系Ｂ２へと搬送される。
【００３０】
次に、記録系Ｂについて説明をする。
【００３１】
画像記録部Ｂの記録系Ｂ２としては、記録手段が信号に応じてインクを吐出して記録を行う一般にインクジェット記録装置と称されるインクジェット記録方式を採用している。
【００３２】
記録系Ｂ２はパソコン等の上位機器から伝送された画信号、或いは文字データ等の画信号に応じて、給紙系Ｂ１より供給された記録シート２に画像を記録するものである。
【００３３】
詳細に説明をすると、記録シート押え１０は、ＬＦローラ１１側に押圧されてあり給紙系Ａより搬送された記録シート２の上ガイドを兼ねながら、ピンチローラ１０ａをＬＦローラ１１に対向させている。そして記録カートリッジ１２とプラテン板１３との間を記録シート２が搬送され、記録カートリッジ１２により記録動作を行う。
【００３４】
本実施の形態においては、図示しないモータ及び駆動系により記録カートリッジ１２は、キャリッジ１２ａに搭載され、キャリッジシャフト１２ｂを摺動することで、記録シート２の幅方向に対して移動しながらシリアル印字するよう構成している。
【００３５】
次に、印字記録後の記録シート２は、排紙ローラ１４ａと対向する拍車ローラ１４ｂにより印字面を汚さないように記録シート２を図示する矢印方向に機外へと搬送する。
【００３６】
次に、画像読取部Ｃについて説明する。
【００３７】
画像読取部Ｃは、原稿台ガラス１６上に静止する原稿画像を読取手段としての密着型イメージセンサ１８によって読み取るフラットベッドスキャナ部１５を備え、シート状原稿及び本などの厚みのあるブック状原稿の双方を読み取るようになっている。原稿台ガラス１６はフラットベッドスキャナ１５の構造体となるフレーム２６によって支持されている。
【００３８】
そして、画像読取部Ｃが第１の位置においては、原稿台ガラス１６が重力方向と略並行に設けられ、第２の位置においては、原稿台ガラス１６が重力方向とほぼ垂直に、密着型イメージセンサ１８の上部に設けられている。
【００３９】
１７は押さえ部材である圧板であって、画像読取部Ｃに対して使用者が開閉することができ、原稿台ガラス１６上に置かれた原稿を押えるものであり、この圧板１７に、装置を操作する操作部１９が設けられている。操作部１９は、表示部、入力部などにより構成される。
【００４０】
前記密着型イメージセンサ１８は、不図示の原稿の読取面を照らす照明手段と、原稿の読取面からの反射光が通過するセルフォックレンズとレンズの直下に配置され反射光を結像させるイメージセンサ本体とからなる。
【００４１】
次に、フラットベッドスキャナ１５を操作部１９が上部を向くよう平置き状態に移動させる移動機構Ｄについて、図１、図２、図３を用いて説明する。
【００４２】
この移動機構Ｄは、フラットベッドスキャナ１５の上端部中央に設けられた円断面形状の軸部２０と、軸部２０に一端が回転自在に支持される支持部材２１と、支持部材２１の他端に設けられるガイド突部２２と、を備え、ガイド突部２２がフラットベッドスキャナ１５の背面に位置する装置本体１の壁面に設けられる上下に延びるガイド溝２３に上下方向にスライド自在に嵌合する構成となっている。
【００４３】
フラットベッドスキャナ１５は支持部材２１に対して軸部２０を中心に回転自在に支持される。
【００４４】
フラットベッドスキャナ１５を、図３に示すように、平置きの状態にするためには、フラットベッドスキャナ１５を図１のＸ方向に回転させ、支持部材２１をガイド溝２３に沿って、下部に摺動させればよい。
【００４５】
また、フラットベッドスキャナ１５を平置きの状態でしっかり支持するために、装置本体左右両側には、図２、図４、図５に示すように、第２の支持部材２４が取り付けられている。第２の支持部材２４は、枢支部２４ｂを介して互いに連結された一対のリンク２４１，２４２によって構成され、一方のリンク２４１の端部は枢支部２４ａを介して装置本体１に回転自在に支持され、他方のリンク２４２は枢支部２４ｃを介してフラットベッドスキャナ１５に回転自在に支持されている。
【００４６】
フラットベッド１５が縦置きになっているときは、図４に示すような状態になっており、平置きになっているときは、図５に示すような状態になっている。
【００６８】
【発明の効果】
以上説明したように、本発明によれば、画像読取部が、重力方向と略平行に位置する第１の位置と、重力方向と略垂直の第２の位置に位置することが可能で、画像読取部を第１および第２の位置間を移動可能とする移動手段を備えたことにより、装置の設置面積を小さくすることができる。
【００６９】
また、第２の位置を取ることにより、ブック状原稿などでも容易に読み取ることができる。
【００７２】
請求項２に記載の発明によれば、支持台上の被読取対象物を押さえる押さえ部材を有し、押さえ部材に装置を操作する操作部を設けることにより、操作部用のスペースが不要となり、スペース効率が高まる。
【００７３】
請求項３に記載の発明によれば、ホストコンピュータ等の外部機器と接続して画像データの受け渡しを行うための接続部を備えることにより、より汎用性の高い装置を実現できる。
【００７８】
請求項４に記載の発明によれば、画像記録部は複数の記録媒体より順次一枚ずつ分離を行う分離手段を有する給紙系を有する構成とすることにより、コンパクトな構成でありながら、連続して画像形成を行うことができる。
【００７９】
請求項５に記載の発明によれば、装置本体に壁掛け手段を設けたことにより、設置環境が拡がる。
【００８０】
請求項６に記載の発明によれば、記録手段が信号に応じてインクを吐出して記録を行うインクジェット記録方式とすることにより、より装置構成の小型化を図ることができる。
【図面の簡単な説明】
【図１】本発明の実施の形態１に係る画像形成装置の断面説明図である。
【図２】図１の装置の外観斜視説明図である。
【図３】図１の装置の画像読取部を第２の位置とした断面説明図である。
【図４】図１の装置の第２の支持部材の説明図である。
【図５】図１の装置の第２の支持部材の説明図である。
【図６】（Ａ），（Ｂ）は従来の画像形成装置の斜視説明図である。
【図１】
0003891548.tif 000002
【図２】
0003891548.tif 000003
【図３】
0003891548.tif 000004
【図４】
0003891548.tif 000005
【図５】
0003891548.tif 000006
【図６】
0003891548.tif 000007